(57)【要約】【課題】本発明は、観者の興味を引き、観者に強い印象を与えることができる表示内容を表示可能な表示装置を提供する。【解決手段】表示装置１は、光を透過可能な光を透過可能な複数の表示パネル１０、２０と、表示パネル１０、２０の主面１０ｂ、２０ａに形成される面発光層１１、２１と、表示パネル１０、２０の少なくとも１側の端面１０ｃ、２０ｃから表示パネル１０、２０に光を入射する光源５０と、表示パネル１０、２０の光が入射される端面１０ｃ、２０ｃに配置されるカラーフィルタ４１、４２とを備え、表示パネル１０、２０が積層配置され、各カラーフィルタ４１、４２は互いに異なる色であり、各表示パネル１０、２０に形成される面発光層１１、２１は前記所定の表示内容の一部を表示し、各面発光層１１、２１により表示される表示内容を合せることにより、前記所定の表示内容の全体が表示される。【選択図】図２
2018066824.tif 000002
【特許請求の範囲】
【請求項１】
透明又は半透明であって光を透過可能な板状部材の端面から光を入射し、前記板状部材の主面から光を出射することにより、所定の表示内容を表示する表示装置であって、
複数の前記板状部材と、
前記各板状部材の主面に形成される面発光層と、
前記各板状部材の少なくとも１側の端面から前記各板状部材に光を入射する光源と、
前記各板状部材の前記光源からの光が入射される端面に配置されるカラーフィルタとを備え、
前記複数の板状部材が積層配置され、
前記各カラーフィルタは互いに異なる色であり、
前記各板状部材に形成される前記面発光層は、それぞれ前記所定の表示内容の一部を表示し、
前記各面発光層により表示される表示内容を合せることにより、前記所定の表示内容の全体が表示される、
ことを特徴とする表示装置。
【請求項２】
前記表示装置は互いに対向する２つの表示主面を有し、
前記所定の表示内容は、前記両方の表示主面に表示される、
ことを特徴とする請求項１に記載の表示装置。
【請求項３】
前記各板状部材に対する光の入射は、共通の前記光源から行われる、
ことを特徴とする請求項１又は請求項２に記載の表示装置。
【請求項４】
前記光源は単一色の光を発光する光源である、
ことを特徴とする請求項１〜請求項３の何れか一項に記載の表示装置。
【請求項５】
前記各板状部材の前記光源から光が入射される端面以外の端面に、前記各板状部材に入射された光を反射する反射体が配置され、
前記反射体により前記各板状部材が連結されている、
ことを特徴とする請求項１〜請求項４の何れか一項に記載の表示装置。
【請求項６】
前記面発光層は、前記各板状部材における、当該板状部材と隣接する板状部材の主面に対向する主面に形成される、
ことを特徴とする請求項１〜請求項５の何れか一項に記載の表示装置。
【請求項７】
前記面発光層は、前記複数の板状部材の、積層方向における最も外側に位置する主面に形成される、
ことを特徴とする請求項１〜請求項５の何れか一項に記載の表示装置。
【請求項８】
前記表示装置は、床面、壁面、天井面、又は卓上に設置される、標識、看板、又はインテリアである、
ことを特徴とする請求項１〜請求項７の何れか一項に記載の表示装置。
【発明の詳細な説明】
【技術分野】
【０００１】
本発明は、光を透過可能な板状部材の端面から光を入射し、前記板状部材の主面から光を出射することにより、所定の表示内容を表示する表示装置に関する。
【背景技術】
【０００２】
従来から、光を透過可能な板状部材の端面から光を入射し、前記板状部材の主面から光を出射することにより、所定の表示内容を表示する表示装置が知られている。
【０００３】
例えば特許文献１には、透明な板状に形成され、主面に表示対象となる図柄等が半透明インキにより印刷された一対の表示パネルと、前記表示パネルをパネル端面側から照らす光源とを備え、前記一対の表示パネルが積層配置されるとともに、前記一対の表示パネル間に光拡散シートが配置された表示装置が開示されている。
【０００４】
特許文献１に開示される表示装置においては、一対の表示パネルのそれぞれに表示対象となる同一の図柄等が印刷されており、表示装置の一側及び他側の両方から同様の表示対象を表示可能となっている。
【先行技術文献】
【特許文献】
【０００５】
【特許文献１】特開２００９−２２３２１２号公報
【発明の概要】
【発明が解決しようとする課題】
【０００６】
しかし、特許文献１に開示される表示装置においては、光源からの光は、一対の表示パネルのうちの一方の表示パネルに入射されるように構成されており、入射された光は一方の表示パネルにおける表示対象の印刷箇所にて散乱して、一方の表示パネルの表面から出射することとなる。
また、入射された光が一方の表示パネルの印刷箇所にて散乱する際、散乱光が他方の表示パネル側にも出射されるが、一対の表示パネルの間には光拡散シートが配置されているため、他方の表示パネル側に出射された光は光拡散シートにて拡散されて、他方の表示パネルまで到達しない。
【０００７】
つまり、特許文献１の表示装置においては、一対の表示パネルのそれぞれに表示対象が印刷されているものの、一方の表示パネルの表示対象のみが発光表示されるように構成されており、発光表示された表示対象を同時に表示装置の両側から見ることができなかった。また、各表示パネルに印刷される表示対象が同様の図柄等にて構成されているとともに、発光表示される表示対象の発光色が光源の発光色に基づく単一の色であったため、表示内容が単調になりがちであり、表示内容によって観者に強い印象を与えることが困難であった。
【０００８】
そこで、本発明においては、観者の興味を引き、観者に強い印象を与えることができる表示内容を表示可能な表示装置を提供するものである。
【課題を解決するための手段】
【０００９】
上記課題を解決する表示装置は、以下の特徴を有する。
即ち、請求項１記載の如く、透明又は半透明であって光を透過可能な板状部材の端面から光を入射し、前記板状部材の主面から光を出射することにより、所定の表示内容を表示する表示装置であって、複数の前記板状部材と、前記各板状部材の主面に形成される面発光層と、前記各板状部材の少なくとも１側の端面から前記各板状部材に光を入射する光源と、前記各板状部材の前記光源からの光が入射される端面に配置されるカラーフィルタとを備え、前記複数の板状部材が積層配置され、前記各カラーフィルタは互いに異なる色であり、前記各板状部材に形成される前記面発光層は、それぞれ前記所定の表示内容の一部を表示し、前記各面発光層により表示される表示内容を合せることにより、前記所定の表示内容の全体が表示される。
【００１０】
また、請求項２記載の如く、前記表示装置は互いに対向する２つの表示主面を有し、前記所定の表示内容は、前記両方の表示主面に表示される。
【００１１】
また、請求項３記載の如く、前記各板状部材に対する光の入射は、共通の前記光源から行われる。
【００１２】
また、請求項４記載の如く、前記光源は単一色の光を発光する光源である。
【００１３】
また、請求項５記載の如く、前記各板状部材の前記光源から光が入射される端面以外の端面に、前記各板状部材に入射された光を反射する反射体が配置され、前記反射体により前記各板状部材が連結されている。
【００１４】
また、請求項６記載の如く、前記面発光層は、前記各板状部材における、当該板状部材と隣接する板状部材の主面に対向する主面に形成される。
【００１５】
また、請求項７記載の如く、前記面発光層は、前記複数の板状部材の、積層方向における最も外側に位置する主面に形成される。
【００１６】
また、請求項８記載の如く、前記表示装置は、床面、壁面、天井面、又は卓上に設置される、標識、看板、又はインテリアである。
【発明の効果】
【００１７】
本発明によれば、表示装置により表示する所定の表示内容を変化に富んだ表示内容とすることができ、観者の興味を引き、観者に強い印象を与えることが可能となる。
【図面の簡単な説明】
【００１８】
【図１】表示装置を示す斜視図である。
【図２】表示装置を示す分解斜視図である。
【図３】表示装置を示す平面断面図である。
【図４】表示装置を示す側面断面図である。
【図５】面発光層を表示パネルの積層方向における外側の主面に形成した表示装置を示す平面断面図である。
【図６】表示パネルの複数の端面から光を入射するように構成した表示装置を示す平面断面図である。
【図７】３枚の表示パネルを積層して構成した表示装置を示す平面断面図である。
【図８】床面に設置する看板の態様に構成した表示装置を示す斜視図である。
【図９】動画を表示可能に構成した表示装置の表示パネル、カラーフィルタ、及び光源を示す正面図である。
【発明を実施するための形態】
【００１９】
次に、本発明に係る表示装置を実施するための形態を、添付の図面を用いて説明する。
【００２０】
本発明に係る表示装置の一実施形態である表示装置１は、透明又は半透明であって光を透過可能な板状部材である表示パネル１０、２０の端面１０ｃ、２０ｃから光を入射し、表示パネル１０、２０の主面１０ａ、２０ｂから光を出射することにより、所定の表示内容を表示する、面発光タイプの表示装置である。
【００２１】
図１〜図３に示す表示装置１は、複数の表示パネル１０、２０と、表示パネル１０、２０に形成される面発光層１１、２１と、表示パネル１０、２０の１側の端面１０ｃ、２０ｃから表示パネル１０、２０に光を入射する光源５０と、表示パネル１０、２０の端面１０ｃ、２０ｃに配置されるカラーフィルタ４１、４２とを備えている。
【００２２】
表示パネル１０は互いに対向する主面１０ａと主面１０ｂとを有しており、表示パネル２０は互いに対向する主面２０ａと主面２０ｂとを有している。表示パネル１０と表示パネル２０とは、表示パネル１０の主面１０ｂと表示パネル２０の主面２０ａとが隣接するように積層配置されている。
【００２３】
表示パネル１０、２０としては、光透過性に優れたアクリル樹脂、ポリカーボネート樹脂、及びポリエチレンテレフタレート樹脂等の樹脂素材を好適に使用することができるが、透明・半透明性を有する素材であればガラス等の素材を用いることも可能である。
【００２４】
表示パネル１０の主面１０ｂには面発光層１１が形成されており、表示パネル２０の主面２０ａには面発光層２１が形成されている。
面発光層１１は、文字、記号、図柄等で構成される所定の表示パターンを形成している。面発光層１１の表示パターンは、表示装置１が表示する所定の表示内容の一部をなしている。面発光層２１は、文字、記号、図柄等で構成される所定の表示パターンを形成している。面発光層２１の表示パターンは、表示装置１が表示する所定の表示内容の一部をなしている。
【００２５】
そして、面発光層１１の表示パターンと、面発光層２１の表示パターンとを合わせた表示内容が、表示装置１が表示する所定の表示内容の全体となるように構成されている。
つまり、面発光層１１及び面発光層２１は、それぞれ表示装置１が表示する所定の表示内容の一部を表示し、面発光層１１の表示内容と面発光層２１の表示内容とを合わせることにより、表示装置１が表示する所定の表示内容の全体が表示されることとなる。
【００２６】
面発光層１１、２１は、例えば無機顔料又は金属粉末を含有したポリウレタン樹脂等の樹脂塗料を、それぞれ主面１０ｂ及び主面２０ａに塗布して乾燥することにより形成されている。
前記樹脂塗料が含有する無機顔料としては、例えば酸化チタン、酸化亜鉛、酸化バリウム、及び沈降性硫酸バリウム白亜等の白色系の無機顔料を用いることができる。また、前記樹脂塗料が含有する金属粉末としては、例えば金、白金、及びアルミニウム等を用いることができる。
【００２７】
但し、面発光層１１、２１は、前記樹脂塗料を塗布することだけではなく、主面１０ｂ及び主面２０ａにＶ溝等の溝を形成したり、主面１０ｂ及び主面２０ａに彫刻を施したりすることによっても形成することができる。
【００２８】
光源５０は、長尺状の光源基板５１に複数のＬＥＤ素子５２が直線的に実装されることにより構成されており、各ＬＥＤ素子５２から光が照射可能となっている。ＬＥＤ素子５２は、例えば白色光を発光するように構成されている。
光源５０は、表示パネル１０、２０の端面１０ｃ、２０ｃ側に配置されている。
【００２９】
カラーフィルタ４１、４２は、光源５０と表示パネル１０の端面１０ｃ及び表示パネル２０の端面２０ｃとの間に介装されており、光源５０から照射された光は、カラーフィルタ４１を介して表示パネル１０の端面１０ｃから表示パネル１０内へ入射されるとともに、カラーフィルタ４２介して表示パネル２０の端面２０ｃから表示パネル２０内へ入射される。
【００３０】
カラーフィルタ４１、４２は、互いに異なる色のフィルタに構成されている。例えば、カラーフィルタ４１は赤色のフィルタに構成され、カラーフィルタ４２は青色のフィルタに構成されている。
従って、カラーフィルタ４１を介して表示パネル１０内へ入射される光源５０からの光は赤色光となり、カラーフィルタ４２を介して表示パネル２０内へ入射される光源５０からの光は青色光となる。
【００３１】
カラーフィルタ４１、４２は、例えば着色された透明又は半透明のシート状部材にて構成される。また、表示パネル１０、２０の端面１０ｃ、２０ｃに、着色されたインクを塗布することによりカラーフィルタ４１、４２を構成することもできる。
【００３２】
表示装置１は支持フレーム６０を備えており、支持フレーム６０により積層された表示パネル１０、２０が支持されている。
具体的には、支持フレーム６０は、平板状のベース６１と、ベース６１の板面から突出する一対の支持片６２、６２とを有している。支持片６２、６２は、所定の間隔を隔てて配置されており、支持片６２、６２の間に表示パネル１０、２０における端面１０ｃ、２０ｃ側の端部を挿入することにより、表示パネル１０、２０が支持片６２、６２により挟持されて支持される。
【００３３】
また、ベース６１における支持片６２と支持片６２との間の部分には光源５０が取り付けられており、表示パネル１０、２０を支持片６２、６２の間に挿入することで、光源５０が端面１０ｃ、２０ｃと対向する位置に配置されることとなる。
支持フレーム６０のベース６１を建物の壁面や天井面等に固定することで、表示装置１を壁面や天井面等に設置することができる。
【００３４】
表示パネル１０、２０における端面１０ｃ、２０ｃ側の端部とは反対側の端部には、挟持部材７１が嵌装されている。挟持部材７１は、平板状のベース７１ａと、ベース７１ａの板面から突出する一対の支持片７１ｂ、７１ｂとを有しており、支持片７１ｂ、７１ｂは、所定の間隔を隔てて配置されている。
【００３５】
そして、支持片７１ａと支持片７１ａとの間に表示パネル１０、２０における端面１０ｃ、２０ｃ側の端部とは反対側の端部が挿入されるように、挟持部材７１を表示パネル１０、２０に嵌装することで、表示パネル１０、２０が挟持部材７１により挟持されて、表示パネル１０、２０の積層状態が保持される。
【００３６】
表示パネル１０、２０が積層されて構成される表示装置１は、所定の表示内容を表示する表示主面１ａ、１ｂを有している。表示主面１ａ、１ｂは互いに対向する面であり、表示主面１ａと表示主面１ｂとに、同様の表示内容を表示することが可能となっている。
本実施形態の場合、表示装置１の表示主面１ａは表示パネル１０の主面１０ａにより構成されており、表示装置１の表示主面１ｂは表示パネル２０の主面２０ｂにより構成されている。
【００３７】
このように構成される表示装置１においては、光源５０から光が照射されると、光源５０からの光はカラーフィルタ４１を通じて表示パネル１０内へ入射され、表示パネル１０内を伝搬する。面発光層１１は、表示パネル１０内に入射された光を散乱させる光散乱層であり、表示パネル１０内に入射された光は面発光層１１が形成されている部分で散乱される。面発光層１１で散乱された光は表示装置１の表示主面１ａ及び表示主面１ｂから出射され、面発光層１１が構成する表示パターンが表示主面１ａ及び表示主面１ｂに発光表示される。
【００３８】
また、光源５０からの光はカラーフィルタ４２を通じて表示パネル２０内へ入射され、表示パネル２０内を伝搬する。面発光層２１は、表示パネル２０内に入射された光を散乱させる光散乱層であり、表示パネル２０内に入射された光は面発光層２１が形成されている部分で散乱される。面発光層２１で散乱された光は表示装置１の表示主面１ａ及び表示主面１ｂから出射され、面発光層２１が構成する表示パターンが表示主面１ａ及び表示主面１ｂに発光表示される。
【００３９】
本実施形態の場合、表示パネル１０の面発光層１１の表示パターンは、女性用トイレを示すピクトグラムであり、赤色フィルタに構成されるカラーフィルタ４１により赤色に発光表示される。また、表示パネル２０の面発光層２１の表示パターンは、男性用トイレを示すピクトグラムであり、青色フィルタに構成されるカラーフィルタ４２により青色に発光表示される。これにより、表示装置１全体として、男女トイレを示すピクトグラムが所定の表示内容として表示されることとなる。
【００４０】
このように、表示装置１においては、表示パネル１０の面発光層１１及び表示パネル２０の面発光層２１が、それぞれ表示装置１が表示する所定の表示内容の一部を表示するように構成し、面発光層１１と面発光層２１とを同時に発光表示させて、面発光層１１の表示内容と面発光層２１の表示内容とを合わせることにより、表示装置１が表示する所定の表示内容の全体を表示するように構成している。
【００４１】
この場合、面発光層１１により発光表示される表示内容の色と、面発光層２１により発光表示される表示内容の色とは、互いに異なる色になるように構成されているので、表示装置１により表示する所定の表示内容を変化に富んだ表示内容とすることができ、観者の興味を引き、観者に強い印象を与えることが可能となっている。
【００４２】
ここで、男女トイレを示すピクトグラムは、男性用トイレを青色系統の色で表示し、女性用トイレを赤色系統の色で表示するといったように、男性用トイレと女性用トイレとを異なる色で表示することが一般的に行われている。
【００４３】
表示装置１においては、表示パネル１０の面発光層１１及び表示パネル２０の面発光層２１がそれぞれ表示装置１が表示する所定の表示内容の一部を表示するとともに、面発光層１１の表示内容と面発光層２１の表示内容とを異なる色にて発光表示することが可能となっているため、男女トイレを示すピクトグラムのように、複数色を用いて表示される表示内容を、適切に表示することが可能となっている。
本実施形態の場合、男女トイレを示すピクトグラムが表示された表示装置１を、トイレの入り口付近の壁面に取り付けることで、トイレの場所を適切に表示することが可能である。
【００４４】
また、表示装置１においては、所定の表示内容を表示主面１ａ及び表示主面１ｂの両方に表示することが可能であるため、例えば表示装置１を通路の壁面に取り付けた場合、通路を一方側に移動する観者と他方側に移動する観者との両方に所定の表示内容を伝達することが可能であり、表示装置１の有用性を高めることができる。
なお、表示装置１は建物等の天井面に取り付けることも可能である。
【００４５】
また、表示装置１においては、表示パネル１０に対する光の入射と表示パネル２０に対する光の入射とを共通の光源５０から行うように構成しているため、一つの光源５０で複数の表示パネル１０、２０に光を入射させることが可能であり、表示パネル１０、２０毎に異なる光源５０を用いた場合に比べて光源５０の数を減らして、表示装置１を簡単な構造にするとともに低コスト化することが可能となっている。
【００４６】
また、光源５０は、単一色の光を発光する光源に構成されているため、例えばフルカラー仕様に構成された光源を用いた場合に比べて表示装置１を低コスト化することが可能となっている。
なお、本実施形態では、光源５０は白色の光を発光する光源に構成されているが、他の色の単一色の光を発光する光源に構成することも可能である。
【００４７】
また、図４に示すように、表示装置１においては、表示パネル１０、２０の光が入射される端面１０ｃ、２０ｃではない端面である上側の端面、及び下側の端面に反射テープ７２を貼設することができる。反射テープ７２は、表示パネル１０、２０内に入射された光を反射する反射体の一例である。
表示パネル１０、２０内に入射された後、表示パネル１０、２０内を伝搬して上側の端面及び下側の端面に達した光を反射テープ７２にて反射することにより、当該光が上側の端面及び下側の端面から外部に漏れ出すことを防止して、表示装置１の表示主面１ａ、１ｂから出射される光の光量を向上することが可能となる。
【００４８】
また、表示パネル１０、２０における端面１０ｃ、２０ｃ側の端部とは反対側の端部には挟持部材７１が嵌装されているため、表示パネル１０、２０における端面１０ｃ、２０ｃとは反対側の端面から光が漏れ出すことが防止されており、表示装置１の表示主面１ａ、１ｂから出射される光の光量をさらに向上することが可能となっている。
この場合、挟持部材７１を光を反射可能な部材にて構成すれば、挟持部材７１を表示パネル１０、２０内に入射された光を反射する反射体として作用させることができ、表示装置１の表示主面１ａ、１ｂから出射される光の光量の向上度合を高めることができる。
【００４９】
このように、表示パネル１０、２０における光源５０からの光が入射される端面以外の端面に、表示パネル１０、２０に入射された光を反射する反射体を配置することで、表示装置１の表示主面１ａ、１ｂから出射される光の光量が向上して、表示装置１が表示する所定の表示内容の視認性が良好となる。
【００５０】
また、反射テープ７２は、一枚のテープが表示パネル１０の端面から表示パル２０の端面にわたって貼設されており、表示パネル１０、２０の上端面及び下端面は、反射テープ７２により連結されている。
このように、表示パネル１０、２０を反射テープ７２により連結することで、表示パネル１０、２０の積層状態を保持して、表示パネル１０と表示パネル２０との相対位置がずれることを防止できる。
【００５１】
また、表示装置１においては、面発光層１１、２１は、表示パネル１０、２０における、当該表示パネル１０、２０と隣接する表示パネル１０、２０の主面に対向する主面に形成される。
具体的には、面発光層１１は、表示パネル１０における、当該表示パネル１０と隣接する表示パネル２０の主面２０ａに対向する主面１０ｂに形成されており、面発光層２１は、表示パネル２０における、当該表示パネル２０と隣接する表示パネル１０の主面１０ｂに対向する主面２０ａに形成されている。
【００５２】
このように、面発光層１１、２１が形成される主面１０ｂ及び２０ａは、表示パネル１０、２０の積層方向における内側に位置しているため、面発光層１１、２１が表示装置１の外面側に露出することがなく、面発光層１１、２１の劣化を抑制することが可能となっている。
【００５３】
但し、図５に示すように、面発光層１１、２１は、表示パネル１０、２０の積層方向における外側の主面に形成することも可能である。つまり、面発光層１１を表示パネル１０の主面１０ａに形成するとともに、面発光層２１を表示パネル２０の主面２０ｂに形成することもできる。
【００５４】
このように、面発光層１１、２１を表示パネル１０、２０の積層方向における外側の主面１０ａ、２０ｂに形成した場合、表示パネル１０、２０の積層方向において、表示パネル１０、２０の厚み分だけ面発光層１１と面発光層２１とが離れた位置に配置されることとなるので、表示装置１に表示される所定の表示内容を見たときに、前記所定の表示内容に奥行感や立体感を感じることができる。
これにより、表示装置１に表示される所定の表示内容により、観者の興味を引くとともに、観者に強い印象を与えることが可能となる。
【００５５】
なお、面発光層１１、２１を表示パネル１０、２０の積層方向における外側の主面１０ａ、２０ｂに形成した場合、主面１０ａ、２０ｂに対して面発光層１１、２１を覆うように透明のコーティング剤を塗布し、面発光層１１、２１を被覆する保護膜を形成することで、面発光層１１、２１が劣化することを抑制することができる。主面１０ａ、２０ｂに塗布する透明のコーティング剤としては、例えばポリウレタン樹脂からなるコーティング剤を用いることができる。
【００５６】
また、表示パネルを３枚以上積層して表示装置を構成した場合、表示パネルの積層方向における最も外側に位置する２つの主面に面発光層を形成することで、積層方向における２つの面発光層同士の距離を大きくとることができ、所定の表示内容に奥行感及び立体感を顕著に付与することができる。
【００５７】
また、表示装置１においては、表示パネル１０の任意の主面１０ａ、１０ｂに面発光層１１を形成し、表示パネル２０の任意の主面２０ａ、２０ｂに面発光層２１を形成することができる。
例えば、表示パネル１０の主面１０ａに面発光層１１を形成するとともに、表示パネル２０の主面２０ａに面発光層２１を形成することができる。また、表示パネル１０の主面１０ａ、１０ｂの両方に面発光層１１を形成したり、表示パネル２０の主面２０ａ、２０ｂの両方に面発光層２１を形成したりすることもできる。
【００５８】
また、表示装置１においては、表示パネル１０、２０の複数の端面から光を入射するように構成することもできる。
例えば、図６に示すように、支持フレーム６０に取り付けられた光源５０により、表示パネル１０、２０の端面１０ｃ、２０ｃから光を入射するとともに、光源５０を表示パネル１０、２０における端面１０ｃ、２０ｃ側の端部とは反対側の端部にさらに配置して、表示パネル１０、２０における端面１０ｃ、２０ｃとは反対側の端面からも光を入射するように構成することができる。
【００５９】
この場合、表示パネル１０、２０における端面１０ｃ、２０ｃ側の端部とは反対側の端部に配置される光源５０は、挟持部材７１のベース７１ａに取り付けることができる。
また、挟持部材７１に取り付けられた光源５０と、表示パネル１０、２０における端面１０ｃ、２０ｃとは反対側の端面との間には、カラーフィルタ４１、４２を介装することができる。
【００６０】
このように、表示パネル１０、２０の複数の端面から光を入射することで、表示パネル１０、２０に入射される光量を増加させることができ、表示装置１により表示する所定の表示内容の発光度合を高めて、当該所定の表示内容により、観者の興味を引くとともに、観者に強い印象を与えることが可能となる。
特に、複数の光源５０を、表示パネル１０、２０における互いに対向する端面に配置した場合は、表示パネル１０、２０内における光量のばらつきを抑えることができ、均一な発光度合にて所定の表示内容を表示することが可能となる。
【００６１】
また、表示装置１は、表示パネルを３枚以上積層して構成することもできる。
例えば、図７に示すように、表示装置１を、３枚の表示パネル１０、２０、３０を積層して構成することができる。
この場合、支持フレーム６０に取り付けられた一つの光源５０により、表示パネル１０、２０、３０の端面１０ｃ、２０ｃ、３０ｃから光が入射されるとともに、光源５０と端面１０ｃ、２０ｃ、３０ｃとの間に、それぞれカラーフィルタ４１、４２、４３が介装される。例えば、カラーフィルタ４１は赤色のフィルタに構成され、カラーフィルタ４２は青色のフィルタに構成され、カラーフィルタ４３は緑色のフィルタに構成されている。
また、表示パネル１０の主面１０ａが表示装置１の表示主面１ａとなり、表示パネル３０の主面３０ｂが表示装置１の表示主面１ｂとなる。
【００６２】
このように、表示パネル１０、２０、３０に赤色、青色、緑色のカラーフィルタ４１、４２、４３を介して光を入射することにより、光源５０として単色光を発光する光源を用いながら、表示装置１によりフルカラーにて所定の表示内容を表示することが可能となる。
【００６３】
つまり、表示パネル１０、２０、３０において、面発光層１１、２１、３１が重なり合わず、面発光層１１、２１、３１が単独で存在している箇所では、その面発光層１１、２１、３１の発光色に対応した色で表示内容が表示され、複数の面発光層１１、２１、３１が重なり合っている箇所では、重なり合った面発光層１１、２１、３１の発光色が混合した色で表示内容が表示されることとなる。従って、面発光層１１、２１、３１をそれぞれ表示パネル１０、２０、３０の適宜位置に配置することで、面発光層１１、２１、３１の重なり具合によって任意の色に着色された表示内容を得ることが可能となる。
【００６４】
また、図８に示すように、表示装置１は床面に設置する看板のような態様に構成することもできる。
この場合、表示装置１は、平板状のベース板８１及びベース板８１に立設される支持柱８２を備えており、支持柱８２に支持フレーム６０が固定されるとともに、ベース板８１から上方に突出して互いに所定の間隔を隔てて配置される一対のガイド片８１ａ、８１ａの間に表示パネル１０、２０の下端部が挿入されることにより、床面において表示装置１が自立可能となっている。
【００６５】
図８に示す表示装置１の場合、例えば表示パネル１０の面発光層１１が水草を模した形状に形成され、表示パネル２０の面発光層２１が金魚を模した形状に形成されている。また、カラーフィルタ４１が緑色のフィルタに構成され、カラーフィルタ４２が赤色のフィルタに構成されている。これにより、水草を模した面発光層１１を緑色に発光表示させるとともに、金魚を模した面発光層２１を赤色に発光表示させて、表示装置１により、「水草が生えた水中を泳ぐ金魚」といった所定の表示内容を表示することが可能となっている。
【００６６】
また、表示装置１は、複数枚の表示パネルを用い、各表示パネルに対応して光源を設けることにより、所定の表示内容として動画を表示することができる。
例えば、図９に示すように、表示装置１を、積層配置される３枚の表示パネル１０、２０、３０と、各表示パネル１０、２０、３０に対応して設けられる光源５０ａ、５０ｂ、５０ｃと、光源５０ａ、５０ｂ、５０ｃと表示パネル１０、２０、３０との間に介装されるカラーフィルタ４１、４２、４３とを備えた表示装置に構成することで、動画を表示することが可能となる。
【００６７】
表示パネル１０には、図９（ａ）における右端部に、歩く人物の像を模した形状の面発光層１１が形成されており、表示パネル２０には、図９（ｂ）における左右中央部に、面発光層１１とは姿勢が異なる歩く人物の像を模した形状の面発光層２１が形成されており、表示パネル３０には、図９（ｃ）における左端部に、面発光層２１とは姿勢が異なる歩く人物の像を模した形状の面発光層３１が形成されている。
【００６８】
このように構成される表示装置１においては、最初に光源５０ａを発光させて表示パネル１０に光を入射し、面発光層１１を発光表示する。次に、光源５０ｂを発光させるとともに光源５０ａを消灯して表示パネル２０に光を入射し、面発光層２１を発光表示する。さらに、光源５０ｃを発光させるとともに光源５０ｂを消灯して表示パネル３０に光を入射し、面発光層３１を発光表示する。
このように、面発光層１１、面発光層２１、面発光層３１を順次発光表示させることで、人物が姿勢を変化させながら右から左へ移動していく様子、即ち人物が右から左へ歩いている様子を所定の表示内容として表示することができる。
【００６９】
この場合、例えば光源５０ａ、５０ｂ、５０ｃは、白色等の同一の単一色の光を発光するように構成することができる。また、カラーフィルタ４１、４２、４３は、互いに同じ色のフィルタに構成してもよく、互いに異なる色のフィルタに構成してもよい。
カラーフィルタ４１、４２、４３を互いに異なる色のフィルタに構成した場合は、人物の色が歩くたびに変化することとなるので、所定の表示内容が変化に富んだ表示内容となって、観者の興味を強く引くことができるとともに、観者に強い印象を与えることが可能となる。
【００７０】
以上のように構成される表示装置１は、壁面、天井面、床面、又は卓上等に設置して種々の情報を表示する標識や看板等として用いることができる。また、表示装置１は、所定の表示内容を芸術的な要素を有した表示内容として、店舗や事務所やイベント会場等におけるインテリアや装飾品等として用いることも可能である。
このように、表示装置１を標識、看板、又はインテリア等に用いた場合、表示装置１は変化に富んだ表示内容を表示することが可能であるため、観者の興味を強く引くことができるとともに、観者に強い印象を与えることが可能である。
【符号の説明】
【００７１】
１    表示装置
１ａ、１ｂ  表示主面
１０、２０  表示パネル
１０ａ、１０ｂ、２０ａ、２０ｂ  主面
１０ｃ、２０ｃ  （表示パネルの）端面
１１、２１  面発光層
４１、４２  カラーフィルタ
５０    光源
６０    支持フレーム
７１    挟持部材
７２    反射テープ
【図１】
2018066824.tif 000003
【図２】
2018066824.tif 000004
【図３】
2018066824.tif 000005
【図４】
2018066824.tif 000006
【図５】
2018066824.tif 000007
【図６】
2018066824.tif 000008
【図７】
2018066824.tif 000009
【図８】
2018066824.tif 000010
【図９】
2018066824.tif 000011